(57)【要約】【課題】電卓、パーソナルコンピューターの他、複写機やファックス、各種電子機器のリモートコントロール装置など、情報を入力する際に用いられるスイッチ、ボタン、キー及び、それらを有する電子機器において、手の握力が弱かったり、手が震えてしまう上肢障害者やヘッド・スティック利用者にも使いやすく、なおかつ健常者の常用にも耐えるスイッチ、ボタン、キーを提供する。【解決手段】本発明においては、スイッチ、ボタン、キーの操作者から離れた端にスイッチ、ボタン、キーの上面よりも０．５ｍｍ以上高い崖部分を設ける。なおかつ、その崖部分の長さは、操作者から離れている奥側から操作者の手前側へ向かう側面の半分以下であることを特徴とする。【選択図】        図１
2004311049.tif 000002
【特許請求の範囲】
【請求項１】
電卓、パーソナルコンピューターの他、複写機やファックス、各種電子機器のリモートコントロール装置など、情報を入力する際に用いられるスイッチ、ボタン、キー及び、それらを有する電子機器において、
スイッチ、ボタン、キーの上面に、前記上面より０．５ｍｍ以上高い崖部分を形成し、
前記崖部分が前記スイッチ、ボタン、キーに面する長さは、前記スイッチ、ボタン、キーを操作する操作者の奥手前方向のスイッチ、ボタン、キー形状を射影した際の長さの半分以下であり、
なおかつ前記崖部分は、前記スイッチ、ボタン、キーの前記操作者から離れる奥側にあることを特徴とするスイッチ、ボタン、キー及び、それらを有する電子機器。
【請求項２】
電卓、パーソナルコンピューターの他、複写機やファックス、各種電子機器のリモートコントロール装置など、情報を入力する際に用いられるスイッチ、ボタン、キー及び、それらを有する電子機器において、
スイッチ、ボタン、キーの周辺部材上に、前記スイッチ、ボタン、キーの上面より０．５ｍｍ以上高い崖部分を形成し、
前記崖部分が前記スイッチ、ボタン、キーに面する長さは、前記スイッチ、ボタン、キーを操作する操作者の奥手前方向のスイッチ、ボタン、キー形状を射影した際の長さの半分以下であり、
なおかつ前記崖部分は、前記スイッチ、ボタン、キーの前記操作者から離れる奥側にあることを特徴とするスイッチ、ボタン、キー及び、それらを有する電子機器。
【請求項３】
電卓、パーソナルコンピューターの他、複写機やファックス、各種電子機器のリモートコントロール装置など、情報を入力する際に用いられるスイッチ、ボタン、キー及び、それらを有する電子機器において、
スイッチ、ボタン、キーに用いるテンプレート上に、装着した際に前記スイッチ、ボタン、キーの上面より０．５ｍｍ以上高い崖部分を形成し、
前記崖部分が前記スイッチ、ボタン、キーに面する長さは、前記スイッチ、ボタン、キーを操作する操作者の奥手前方向のスイッチ、ボタン、キー形状を射影した際の長さの半分以下であり、
なおかつ前記崖部分は、前記スイッチ、ボタン、キーの前記操作者から離れる奥側にあることを特徴とするスイッチ、ボタン、キー及び、それらを有する電子機器。
【請求項４】
前記テンプレートを電子機器へ固定する部材のあることを特徴とする請求項３記載のスイッチ、ボタン、キー及び、それらを有する電子機器。
【請求項５】
前記スイッチ、ボタン、キー上面は、凹または凸面であるＲ１０〜１００ｍｍの球面もしくはシリンダー面であることを特徴とする請求項１乃至４いずれか記載のスイッチ、ボタン、キー及び、それらを有する電子機器。
【請求項６】
前記スイッチ、ボタン、キー上面は崖部分に向かって下がるテーパー平面であることを特徴とする請求項１乃至４いずれか記載のスイッチ、ボタン、キー及び、それらを有する電子機器。
【請求項７】
前記崖部分に幅３ｍｍ以下の、単数または複数の切り欠きを設けることを特徴とする請求項１乃至６いずれか記載のスイッチ、ボタン、キー及び、それらを有する電子機器。
【請求項８】
前記スイッチ、ボタン、キーは押し下げる際にクリック感があることを特徴とする請求項１乃至７いずれか記載のスイッチ、ボタン、キー及び、それらを有する電子機器。
【発明の詳細な説明】
【０００１】
【発明の属する技術分野】
本発明は、電卓、パーソナルコンピューターの他、複写機やファックス、各種電子機器のリモートコントロール装置など、情報を入力する際に用いられるスイッチ、ボタン、キー及び、それらを有する電子機器に関するものである。
【０００２】
【従来の技術】
図１４、図１５は従来例を示す図である。
【０００３】
図１４は、コンピュータ等のキーボード等に用いられている矢印キーを示す。９０は矢印キー群、９１は「下矢印」キーを示す。ブラインドタッチでキー操作を行っている際にも、ユーザーがカーソルのキーの位置を容易に認識できるようにするべく、「↓」キーのみを凹面の形状としてカーソルキーのホームポジションキーとして認識できるようにしているものである（例えば、特許文献１参照。）。
【０００４】
図１５は、キーボードを示す。９２はキーボード、９３はキー部分、９４はキー上に設けられている崖部分を表す。長時間のキーボード操作による疲れが生じにくく、初心者でも容易で確実に運用できるよう、各指のホームポジションキーを中心に他のキーを配列し、同じ指で押すキー群のキートップを曲率半径２．５〜８．５ｃｍとしたものである（例えば、特許文献２参照。）。
【０００５】
【特許文献１】
特願２０００−２７６２８４号公報
【特許文献２】
特開平０９−２０４２４６号公報
【０００６】
【発明が解決しようとする課題】
情報機器の発達・普及により、障害者が以前は自力で得られなかった様々な情報を、能動的に得ることができるようになってきている。例えば、聴覚障害者はパソコンから視覚的に情報を得ることにより、ラジオ・テレビの音声からでは得られなかった情報を文字の形態で得ることが容易になってきている。また視覚障害者にとっても、パソコンから得られる情報を、画面上の情報を音声化するソフトを併用することにより、知りたいことを知りたい時に得ることが可能になってきている。また、電子メールの普及により、容易に知人友人との「会話」や「手紙」が可能になってきている。
【０００７】
情報機器は健常者にとっても便利なものであるが、上記のとおり障害者にとっては、ある面では人権を守ってくれる可能性を持つ、「便利」と言う以上の「生活必需品」となりつつある。
【０００８】
また手が不自由である上肢障害者にとっても、パソコンは非常に便利な機器である。かつて情報を得るためには、本や雑誌を店頭で選び購入し、持ち帰り、机の上に運び、めくり難いページをめくって捜すという、いくつもの困難な段階を踏んでようやく得られていた情報が、現在では「ボタン（キー）を押す」という単純な動作の繰り返しにより、様々な情報を得ることができる。
【０００９】
しかし一方、上肢障害者の場合は、手が震えてしまうため自分が押したいと思うボタンにねらい目をつけにくい、押したいボタンを正確に触ることが出来ても握力がないために押す動作をする際に指が滑ってしまう等の状況が生じる。また、指による操作が全く不可能である上肢障害者の場合、頭部に取り付けた棒（ヘッド・スティック）によりキー操作を行うが、一般的なパソコンのキーボードでは押し下げる動作を行う際に、キートップにあてている棒の先が滑りやすい難点がある。単純である「押す」というだけの動作ではあるが、何度もやり直しをするとなると煩わしい上、体力的にも負担となる。
【００１０】
また、上肢障害者用の特殊キーボードも販売されているが、ほとんどがオーダーメイドであり、高額である。
【００１１】
従来例の図１４では、矢印キーのキートップが凹面の形状をしており、一部の矢印キーに限られてしまっている。また同キー平面よりも上肢障害者にとっては押し易い面はあるが、凹面と言うだけでは、滑りやすい。
【００１２】
従来例の図１５では各指のホームポジションキーを中心に他のキーを配列されており、他のキーはホームポジションキーから離れている側面に崖部分が形成され、操作者の奥側、手前側、横方向に崖部分がある状態になっている。「引っかかり部分」があるものの、異なる方向の引っかかりであるために、上肢の障害者には使い難い。また、健常者であっても、必ずしも基本どおりに所定の指で所定のキーを押すユーザーばかりではないので、崖部分が操作の際に邪魔になってしまい「誰でも使いやすい」とは言えない。このため、一般的に普及しがたい面があり、健常者と障害者で同じキーボードを共用できる、いわゆる「ユニバーサル・デザイン」製品化が難しいので、廉価化を狙うのも困難である。
【００１３】
上記の２つの従来例および一般的なキーボードは、障害者を意識したものではないため、上肢障害者にとって使い難いのは仕方のない側面もある。ただし、少しの配慮と工夫により、一般の健常者でも使いやすく、なおかつ、手の震えや握力の弱い上肢障害者やヘッド・スティック利用者にとっても常用に耐えうる廉価な「ユニバーサル・デザイン」化が実現可能である。スイッチ、ボタン、キーなどを有する電子機器を提供する側の企業は、障害者の自立生活を妨げ得る機器に目を向け、社会的弱者となりやすい障害者の個人の権利を侵さないように配慮した機器の提供に努めるのが、社会的に目指すべき所ではないかと思われる。
【００１４】
【課題を解決するための手段】
本発明においては、スイッチ、ボタン、キーの操作者から離れた端にスイッチ、ボタン、キーの上面よりも０．５ｍｍ以上高いの崖部分を設ける。なおかつ、その崖部分の長さは、操作者から離れている奥側から操作者の手前側へ向かう側面の半分以下であることを特徴とする。
【００１５】
このことにより、上肢の障害により手が震えてしまう場合でも、スイッチ、ボタン、キーの上面と崖部分のつながった２面が形成されているために指先がキー上に留まり易い。また、握力が弱いユーザーやヘッド・スティック利用者であっても、キートップのユーザーから離れている端に「引っかかり」となる崖部分が設けられているため、押し下げる動作がし易い。
【００１６】
また、健常者が利用する際にも、崖部分の長さがスイッチ、ボタン、キーの奥手前方向に平行な側面の半分以下であるため、崖部分が指に引っかかりにくく、操作性を損なわない。
【００１７】
以上のように、一般的な健常者の常用が可能であり、容易に成形され得る形態であるため、健常者と障害者が共用できる「ユニバーサル・デザイン」を実現した一般普及品の実現が可能となる。
【００１８】
以上、本発明を整理して要約すれば以下の構成に集約できる。
【００１９】
（１）電卓、パーソナルコンピューターの他、複写機やファックス、各種電子機器のリモートコントロール装置など、情報を入力する際に用いられるスイッチ、ボタン、キー及び、それらを有する電子機器において、
スイッチ、ボタン、キーの上面に、前記上面より０．５ｍｍ以上高い崖部分を形成し、
前記崖部分が前記スイッチ、ボタン、キーに面する長さは、前記スイッチ、ボタン、キーを操作する操作者の奥手前方向のスイッチ、ボタン、キー形状を射影した際の長さの半分以下であり、
なおかつ前記崖部分は、前記スイッチ、ボタン、キーの前記操作者から離れる奥側にあることを特徴とするスイッチ、ボタン、キー及び、それらを有する電子機器。
【００２０】
（２）電卓、パーソナルコンピューターの他、複写機やファックス、各種電子機器のリモートコントロール装置など、情報を入力する際に用いられるスイッチ、ボタン、キー及び、それらを有する電子機器において、
スイッチ、ボタン、キーの周辺部材上に、前記スイッチ、ボタン、キーの上面より０．５ｍｍ以上高い崖部分を形成し、
前記崖部分が前記スイッチ、ボタン、キーに面する長さは、前記スイッチ、ボタン、キーを操作する操作者の奥手前方向のスイッチ、ボタン、キー形状を射影した際の長さの半分以下であり、
なおかつ前記崖部分は、前記スイッチ、ボタン、キーの前記操作者から離れる奥側にあることを特徴とするスイッチ、ボタン、キー及び、それらを有する電子機器。
【００２１】
（３）電卓、パーソナルコンピューターの他、複写機やファックス、各種電子機器のリモートコントロール装置など、情報を入力する際に用いられるスイッチ、ボタン、キー及び、それらを有する電子機器において、
スイッチ、ボタン、キーに用いるテンプレート上に、装着した際に前記スイッチ、ボタン、キーの上面より０．５ｍｍ以上高い崖部分を形成し、
前記崖部分が前記スイッチ、ボタン、キーに面する長さは、前記スイッチ、ボタン、キーを操作する操作者の奥手前方向のスイッチ、ボタン、キー形状を射影した際の長さの半分以下であり、
なおかつ前記崖部分は、前記スイッチ、ボタン、キーの前記操作者から離れる奥側にあることを特徴とするスイッチ、ボタン、キー及び、それらを有する電子機器。
【００２２】
（４）前記テンプレートを電子機器へ固定する部材のあることを特徴とする前記（３）記載のスイッチ、ボタン、キー及び、それらを有する電子機器。
【００２３】
（５）前記スイッチ、ボタン、キー上面は、凹または凸面であるＲ１０〜１００ｍｍの球面もしくはシリンダー面であることを特徴とする前記（１）乃至（４）いずれか記載のスイッチ、ボタン、キー及び、それらを有する電子機器。
【００２４】
（６）前記スイッチ、ボタン、キー上面は崖部分に向かって下がるテーパー平面であることを特徴とする前記（１）乃至（４）いずれか記載のスイッチ、ボタン、キー及び、それらを有する電子機器。
【００２５】
（７）前記崖部分に幅３ｍｍ以下の、単数または複数の切り欠きを設けることを特徴とする前記（１）乃至（６）いずれか記載のスイッチ、ボタン、キー及び、それらを有する電子機器。
【００２６】
（８）前記スイッチ、ボタン、キーは押し下げる際にクリック感があることを特徴とする前記（１）乃至（７）いずれか記載のスイッチ、ボタン、キー及び、それらを有する電子機器。
【００２７】
【発明の実施の形態】
（実施例１）
図１から図４は各々、本発明の実施例１を説明する図である。
【００２８】
図１は本実施例の特徴を有するパソコン等の電子機器のキーボードのキーを示す図であり、１はキー、２はキートップに形成された「崖」部分、３はキーの操作者手前側、４はキーの操作者から離れる奥側を示す。図２は図１のキーを、操作者の奥手前側の側面から見たときの図であり、５は崖部のキートップ面からの高さ、６はキーの操作者の奥手前側側面の長さ、７は６の長さの半分を示す。図３は本実施例の応用形態を示す図で、〔ａ〕は略三角型、〔ｂ〕は略台形型、〔ｃ〕は略五角形型であり、各形態において、８，１０，１２はキー部分、９，１１，１３は各キー上に形成された崖部分を示す。第４図は本実施例の応用形態として、本実施例のキーを配置したキーボードを示す。
【００２９】
本実施例では、図１，図２に示すとおり、キー上に形成されたキートップ面（略平面）からの高さ５が０．５ｍｍ以上の崖状の突起部分２を設け、なおかつその崖部分２は操作者から離れた側面４側からキーの（操作者の）奥手前方向の長さ６の半分以下とすることを特徴とする。
【００３０】
このことにより、崖部分がキートップから０．５ｍｍ以上あるため、指やヘッド・スティックが引っかかりやすく、なおかつ操作者手前側３の半分には崖部分がないため、健常者の操作の邪魔にならない。
【００３１】
以下に本実施例の異なる形態について、図３，図４を例に述べる。
【００３２】
図３に示す通り、キー１自体の形状は略「ちりとり形状」であり、〔ａ〕のように略三角型、〔ｂ〕のように略台形型、〔ｃ〕のように略五角形型であっても構わない。各々のキー８，１０，１２においては、略平面であるキートップ上に崖部分９，１１，１３が形成され、各々キートップ面より高さ０．５ｍｍ以上とする。また、崖部分の長さは、キーの操作者から離れた側面から（操作者の）奥手前方向の長さ６の半分未満とする。
【００３３】
またこれらの適用例としては、図４に示すキーボードが挙げられ、ここでは図３〔ｃ〕の略五角形形状のキーを配列している。本実施例はパソコン等のキーボードに限らず、各種情報機器、複写機やファックス、各種電子機器のリモートコントロール装置など、情報を入力する際に用いられるスイッチ、ボタン、キー及び、それらを有する電子機器に適用されるものとする。
【００３４】
また、電子機器のスイッチ、ボタン、キーは押し下げた際に、押し下げたことが感覚的に分かるようなクリック感があれば、ヘッド・スティックを利用する上肢障害者の負担を減らすこともできる。
【００３５】
以上に述べたように、キー上に形成されたキートップ面（略平面）からの高さが０．５ｍｍ以上の崖状の突起部分を設け、なおかつその崖部分は操作者から離れた側面側からキーの（操作者の）奥手前方向の長さの半分以下とすることを特徴とすることにより、健常者が意識せずとも、健常者にも手の震えや、握力の弱い上肢障害者、ヘッド・スティック利用者でも使いやすいスイッチ、ボタン、キーを有する機器が実現できる。
【００３６】
（実施例２）
図５〜図７は本実施例を説明する図である。
【００３７】
図５は複写機等の操作キーを示す図であり、２１，２３，２６は操作キー本体、２２，２４，２７は操作キーの周辺部材上に設けられた崖部分、２５，２８は崖部材に設けられた切り欠き部分を示す。図６は複写機等の操作部分を示す図で、２９は操作部、３０はタッチパネル及び操作部、３１はスタート（コピー）キー、３２はストップキー、３３はリセットキー、３４はクリアキー、３５はテンキー、３６はユーザーモードキー、３７は原稿カウント専用キーである。また図７は画像形成装置（複写機）を示す図で、３８は画像形成装置（複写機）、３９は表示部、４０はキー操作部を示す。
【００３８】
本実施例では、図５に示すとおり、キー２１，２３，２６上にではなく、キー２１，２３，２６の周辺部材に、キートップ面からの高さが０．５ｍｍ以上の崖状の突起部分２２，２４，２７を設け、なおかつその崖部分２２，２４，２７は各キーの操作者から離れた側面側から（操作者の）奥手前方向の長さの半分以下とすることを特徴とする。
【００３９】
また、キー２１，２３，２６は、図７に示すような画像形成装置（複写機）の操作部分（図６）に設けられる操作キーであるが、視覚障害者の利用に配慮し、触覚により認識しやすいように崖部に２５，２８のように幅３ｍｍ以下の切り欠きを設けても良い。（幅が３ｍｍ以上であれば、ヘッド・スティックの先端が引っかかり、操作に支障が生じる可能性がある）。
【００４０】
本実施例は複写機の操作キーに限らず、各種情報機器、複写機やファックス、各種電子機器のリモートコントロール装置など、情報を入力する際に用いられるスイッチ、ボタン、キー及び、それらを有する電子機器に適用されるものとする。
【００４１】
このことにより、スイッチ、ボタン，テンキー上に崖部分を形成するのが容易でない場合や支障がある場合にも、本発明が実施可能である。
【００４２】
（実施例３）
図８、図９は第３の実施例を説明する図である。
【００４３】
図８は本実施例の特徴を有するスイッチ、ボタン、テンキー等を示す図で、５０はキー本体、５１はキー上に設けられた崖部分、５２は略水平である平面のキートップ部分、５３はテーパー面となっているキートップ部分、５４は操作者の手前側側面、５５は操作者から離れる奥側の側面、５６は略シリンダー面であるキートップを示す。図９は本実施例の適用例であり、５７はテンキー部分、５８はキー、５９はキートップに形成された崖部分、６０はテンキーの「５」キー、６１は「５」キー６０上の形成された崖部分であり、切り欠き部分を有する。
【００４４】
本実施例では、図８〔ａ〕，〔ｂ〕に示すとおり、高さ０．５ｍｍ以上の崖部分５１がキートップ上に形成される点は実施例１と同じであるが、本実施例ではキートップを略水平面ではなく、崖部分に向かって下がる略テーパー状であることを特徴とする。
【００４５】
具体的な形態の１つである図８〔ａ〕では、キー５０の操作者の手前側５４寄りは略水平である面５２、奥側５５寄りは崖部分５１に向かって下がるテーパー面５３で形成している。同図では略水平面５２があるが、この水平な面がなく崖部分に向かって下がる面５３のみで形成されていても良いものとする。また他の例である図８〔ｂ〕では、キートップを凸状のＲ１０〜１００ｍｍであるシリンダー面としており、崖部分に向かって下がっていく略テーパー面となっている。
【００４６】
また、本実施例のキーは例えば、図９に示すようなテンキー５７にも適用される。この際「５」キー６０の崖部分６１には、視覚障害者の利用に配慮し、触覚によりより認識しやすいように幅３ｍｍ未満の切り欠きを設けても良い。
【００４７】
本実施例はテンキーに限らず、各種情報機器、複写機やファックス、各種電子機器のリモートコントロール装置など、情報を入力する際に用いられるスイッチ、ボタン、キー及び、それらを有する電子機器に適用されるものとする。
【００４８】
このことにより、健常者が指でキーを押す際にも指の動きに無理がなく、握力が弱かったりヘッド・スティックを利用する上肢障害者が、スイッチ、ボタン、テンキーを押す際に、指先やスティックの先を滑らせて崖部分に突き当てることが可能となり、より使いやすいスイッチ、ボタン、テンキーが実現できる。
【００４９】
（実施例４）
図１０、図１１は第４実施例を説明する図である。
【００５０】
図１０は本実施例の特徴を有するスイッチ、ボタン、テンキー等を示す図であり、７０はキー本体、７１はキートップ上に形成された崖部分、７２は凹のＲ面であるキートップ、７３は操作者の手前側、７４は操作者から離れる側の奥側を示す。図１１は本実施例の適用例であるテレビ等のリモートコントロール機を示し、７５はリモートコントロール機、７６は操作者の手前側、７７は操作者から離れる奥側を示す。
【００５１】
本実施例では、図１０に示すとおり、高さ０．５ｍｍ以上の崖部分７１がキートップ上に形成される点は実施例１、実施例３と同じであるが、本実施例ではキートップを略水平面や略テーパー面ではなく、凹状のＲ１０〜１００の球面とすることを特徴とする。
【００５２】
図１１は本実施例を適用し各種電子機器のリモートコントロール装置であるが、他に各種情報機器、複写機やファックスなど、情報を入力する際に用いられるスイッチ、ボタン、キー及び、それらを有する電子機器に適用されるものとする。
【００５３】
このことにより、指やヘッド・スティック等が凹面であるキートップでも受けることが可能となり、利用者の使い勝手によって、キートップで押すか崖部分とキートップ部分の引っかかりで押すかを選択できる、より使いやすいスイッチ、ボタン、テンキーが実現できる。
【００５４】
（実施例５）
図１２、図１３は第５の実施例を説明する図である。
【００５５】
図１２は本実施例のテンプレートを示す図で、８０はテンプレート、８１は操作者の手前側、８２は操作者から離れる奥側、８３はテンプレートと一体化した崖部分、８４はテンプレート上のキーをのぞかせるための穴を示す。図１３は本実施例の適用例を示す図で、８５はキー（テンキー）を示す。
【００５６】
本実施例では、図１２、図１３に示すとおり、キー８５上ではなく、キーボードとは別に、キーボードに取り付け可能なテンプレート８０に、図１３に示すようにキーに取り付けた際にキートップ面からの高さが０．５ｍｍ以上になる崖状の突起部分８３を設けることを特徴とする。
【００５７】
上記テンプレート８０は、テンプレート上の穴８４をキー８５へのぞかせることにより固定するような形態でもよいし、別にテンプレート８０を装置本体へ取り付けるような取り付け部材を設けても良いものとする。
【００５８】
本実施例は各種情報機器、複写機やファックス、各種電子機器のリモートコントロール装置など、情報を入力する際に用いられるスイッチ、ボタン、キー及び、それらを有する電子機器に適用されるものとする。
【００５９】
このことにより、スイッチ、ボタン、テンキー上に崖部分を形成するのが容易でない場合や支障がある場合、頻繁に崖部分を脱着する場合などに対して、本発明が有効に適用される。
【００６０】
【発明の効果】
以上説明したように、本発明においては、スイッチ、ボタン、キーの操作者から離れた端にスイッチ、ボタン、キーの上面よりも０．５ｍｍ以上高いの崖部分を設ける。なおかつ、その崖部分の長さは、操作者から離れている奥側から操作者の手前側へ向かう側面の半分以下であることを特徴とする。
【００６１】
このことにより、上肢障害者だけでなく健常者の常用にも耐える「バリアフリー」で使用できる「ユニバーサル・デザイン」であるスイッチ、ボタン、キーが実現できる。このような、電子機器がより広く使われることにより、健常者が意識しないままに、障害者の自立を促進する形態の製品が普及する一歩となりうる。
【図面の簡単な説明】
【図１】第１実施例を示す図
【図２】第１実施例を示す図
【図３】〔ａ〕，〔ｂ〕，〔ｃ〕  第１実施例の他の形態を示す図
【図４】第１実施例の応用形態を示す図
【図５】第２実施例を示す図
【図６】画像形成装置（複写機）の操作部を示す図
【図７】画像形成装置（複写機）を示す図
【図８】〔ａ〕，〔ｂ〕  第３実施例を示す図
【図９】第３実施例の応用形態を示す図
【図１０】第４実施例を示す図
【図１１】第４実施例の応用形態を示す図
【図１２】第５実施例を示す図
【図１３】第５実施例の応用形態を示す図
【図１４】従来例を示す図
【図１５】従来例を示す図
【符号の説明】
１，８，１０，１２，２１，２３，２６，５０，５６，５８，７０  スイッチ、ボタン、テンキー等の本体
２，９，１１，１３，２２，２４，２７，５１，５９，７１  崖部
３，５４，７３，７６，８１  操作者の手前側
４，５５，７４，７７，８２  操作者の奥側
５  崖部の高さ
６  スイッチ、ボタンテンキー等の操作者の奥手前方向の長さ
７  スイッチ、ボタンテンキー等の操作者の奥手前方向の長さの半分
２５，２８，６１  キリ欠き部
２９  操作部
３０  タッチパネル及び操作部
３１  スタート（コピー）キー
３２  ストップキー
３３  リセットキー
３４  クリアキー
３５  テンキー
３６  ユーザーモードキー
３７  原稿カウント専用キー
３８  画像形成装置
３９  表示部
４０  キー操作部
５２  キートップ（平面）
５３  キートップ（テーパー面）
５６  キートップ（略シリンダー面）
５７  テンキー
６０  「５」キー
６１  崖部（キリ欠きつき）
７２  キートップ（凹Ｒ面）
７５  リモートコントロール機
８０  テンプレート
８３  テンプレートと一体化した崖部
８４  キー用の穴
８５  キー（テンキー）
９０  矢印キー群
９１  「下矢印」キー
９２  キーボード
９３  キー
９４  崖部
【図１】
2004311049.tif 000003
【図２】
2004311049.tif 000004
【図３】
2004311049.tif 000005
【図４】
2004311049.tif 000006
【図５】
2004311049.tif 000007
【図６】
2004311049.tif 000008
【図７】
2004311049.tif 000009
【図８】
2004311049.tif 000010
【図９】
2004311049.tif 000011
【図１０】
2004311049.tif 000012
【図１１】
2004311049.tif 000013
【図１２】
2004311049.tif 000014
【図１３】
2004311049.tif 000015
【図１４】
2004311049.tif 000016
【図１５】
2004311049.tif 000017